(57)【要約】【課題】使い勝手が良い上、優れた防塵機能を持つプリンタを提供する。【解決手段】  可動部材１００Ａを設けて未使用時にはその可動部材１００Ａに本体の送出口１０Ａを覆わせて防塵用の遮蔽部材として作用させ、使用時にはその可動部材１００Ａを移動させることにより送出口１０Ａを開放するとともにその移動させた可動部材１００Ａを支持部材として作用させる。可動部材１００Ａを移動させるときにその移動する可動部材１００Ａに電源スイッチ１０Ｂの投入や遮断を指示する操作を行なわせる。【選択図】  図２
2006007652.tif 000002
【特許請求の範囲】
【請求項１】
電池が電池装填室に装填され該電池からの電力の供給を受けて動作するものであって、記録媒体が装填される媒体装填室を内部に有し、該記録媒体上に画像データに応じた画像を記録して画像が記録された記録媒体を外部に送り出す携帯型プリンタにおいて、
前記電池装填室および前記媒体装填室を備え、側面のうちの一つに画像が記録された記録媒体を外部へ送り出すための送出口が形成された本体と、
前記本体に対し所定の未使用位置と所定の使用位置との間で移動し未使用位置にあるときは前記送出口を覆い、使用位置にあるときは該送出口を開放するとともに前記本体を支持する可動部材とを備えたことを特徴とする携帯型プリンタ。
【請求項２】
前記記録媒体が、露光により潜像が記録され外部への送出し時に現像されるインスタントフィルムであることを特徴とする請求項１記載の携帯型プリンタ。
【請求項３】
前記本体の表面の、前記可動部材が使用位置にあるときに該可動部材により覆われる位置に、この携帯型プリンタに指示を与える操作部材を備えたことを特徴とする請求項１記載の携帯型プリンタ。
【請求項４】
前記可動部材は、前記使用位置にあるときに、前記本体を、前記送出口が形成された側面を斜め上に持ち上げた状態に支持するものであることを特徴とする請求項１記載の携帯型プリンタ。
【請求項５】
前記可動部材は、前記本体に回動自在に軸支され、前記未使用位置と前記使用位置との間を回動により移動するものであることを特徴とする請求項１記載の携帯型プリンタ。
【請求項６】
前記可動部材の、前記未使用位置への移動および前記使用位置への移動によりそれぞれオフ状態およびオン状態に切り替わる電源スイッチを備えたことを特徴とする請求項１記載の携帯型プリンタ。
【請求項７】
前記可動部材が前記未使用位置にあるときに該可動部材により覆われる位置に、画像データを担持する赤外線を受光する受光部を備え、
前記可動部材は、該可動部材の少なくとも前記受光部を覆う部分が赤外線を透過する材料からなるものであることを特徴とする請求項１記載の携帯型プリンタ。
【請求項８】
前記可動部材は、前記送出口が形成された側面を覆うとともに該側面両端に接する２つの側面にまで延在するコの字型の部材であって、該可動部材は、前記未使用位置から、該可動部材を前記送出口が形成された側面から離れる方向にスライドさせてから回動させることにより、前記使用位置に移動するものであることを特徴とする請求項１記載の携帯型プリンタ。
【請求項９】
前記可動部材は、前記送出口が形成された側面を含む４つの側面全てを取り巻く輪形状を有するとともに前記本体に対し回動自在に支持されたものであることを特徴とする請求項１記載の携帯型プリンタ。
【請求項１０】
前記可動部材が、前記未使用位置にあるときに内側を向くとともに前記使用位置にあるときに外側を向く面を有する部材であって、該面にこの携帯型プリンタに指示を与える操作部材を備えたことを特徴とする請求項１記載の携帯型プリンタ。
【発明の詳細な説明】
【技術分野】
【０００１】
本発明は、電池が電池装填室に装填され該電池からの電力の供給を受けて動作するものであって、記録媒体が装填される媒体装填室を内部に有し、その記録媒体上に画像データに応じた画像を記録して画像が記録された記録媒体を外部に送り出す携帯型プリンタに関する。
【背景技術】
【０００２】
携帯電話機が接続され携帯電話機内の画像データに基づく写真プリントを行なうことができるようなモバイルプリンタが提案されている（例えば特許文献１参照）。
【０００３】
最近ではカメラ付き携帯電話機が多く出回っており、そのカメラ付き携帯電話機の中にはそのカメラ付き携帯電話機で撮影した画像データを電話機本体の通信方式とは異なる簡単な通信方式による、例えば赤外線通信で電子機器に送信することができるようになっているものもある。そこで、特許文献１のものをさらに改良してその赤外線で送信されてきた画像データを受信器で受信してその受信した画像データに基づいて写真プリントを行なうことができるような携帯型プリンタが提案されている。このような携帯型プリンタとカメラ付き携帯電話機とを携帯してさえいれば、いつでもどこでも撮影したその場で写真プリントを行なうことができる。
【０００４】
ところで、このような受信機能付きの携帯型プリンタを使用するにあたっては、‘プリンタ側の受信器の位置と携帯電話機側の送信器の位置とをあわせるように携帯電話機を構えてください’というような注意をユーザに促す必要がある。ユーザが携帯電話機を片方の手に持って、もう片方の手に携帯型プリンタを持ってプリントを行なう場合には、上記注意にしたがって携帯電話機と携帯型プリンタとの双方の相対位置関係を簡単に調節することができるのでさほど問題にはならないが、携帯型プリンタをどこかに置いてそのプリンタに向けて携帯電話機から無線で画像データの送信を行なう場合においては、携帯型プリンタの位置にあわせて携帯電話機側の位置を調節しなければならない。このため、ユーザが少々無理な態勢で携帯電話機を構えなければならず、このような携帯型プリンタは使い勝手が悪い。
【０００５】
またこのような携帯型プリンタは、内部の媒体装填室に装填された記録媒体例えばインスタントフィルムシートを外部へ送出する送出口を有しているため、どうしてもその送出口から筐体内部へ塵や埃が進入してしまうという欠点を有する。この欠点を補うため、アクセサリとして蓋を用意しておき、未使用時にはユーザにその蓋で送出口を塞いでもらい、使用時にはユーザにその蓋を取り外してもらうようなこともできるが、それでは如何にも使い勝手が悪い。
【特許文献１】特開２００２−２２５３５１号公報
【発明の開示】
【発明が解決しようとする課題】
【０００６】
本発明は、上記事情に鑑み、使い勝手が良い上、優れた防塵機能を持つプリンタを提供することを目的とする。
【課題を解決するための手段】
【０００７】
上記目的を達成する本発明の携帯型プリンタは、電池が電池装填室に装填されその電池からの電力の供給を受けて動作するものであって、記録媒体が装填される媒体装填室を内部に有し、その記録媒体上に画像データに応じた画像を記録して画像が記録された記録媒体を外部に送り出す携帯型プリンタにおいて、
上記電池装填室および上記媒体装填室を備え、側面のうちの一つに画像が記録された記録媒体を外部へ送り出すための送出口が形成された本体と、
前記本体に対し所定の未使用位置と所定の使用位置との間で移動し未使用位置にあるときは上記送出口を覆い、使用位置にあるときはその送出口を開放するとともに上記本体を支持する可動部材とを備えたことを特徴とする。
【０００８】
上記本発明の携帯型プリンタによれば、上記可動部材が上記所定の未使用位置にあるときにはその可動部材により送出口が覆われることで防塵がなされ、上記可動部材が上記所定の使用位置にあるときにはその可動部材により上記本体が支持される。
【０００９】
このようにこの携帯型プリンタに可動部材を設けて、その可動部材に、防塵機能と支持機能という二つの機能を持たせることで、使い勝手の良い、かつ優れた防塵機能を持つ携帯型プリンタが実現される。
【００１０】
ここで、上記記録媒体が、露光により潜像が記録され外部への送出し時に現像されるインタントフィルムであることを特徴とする。
【００１１】
上記記録媒体がインスタントフィルムであると、上記送出口が上記可動部材に覆われることにより、優れた防塵機能が発揮され、そのインスタントフィルムの感光面が保護される。このようにインスタントフィルムの感光面が保護され、塵埃などが付着していないインスタントフィルムの感光面上に潜像が形成され送出し時に現像されると、鮮明な写真プリントになる。
【００１２】
ここで、上記本体の表面の、上記可動部材が未使用位置にあるときにその可動部材により覆われる位置に、この携帯型プリンタに指示を与える操作部材を備えたことが好ましい。
【００１３】
上記本発明の携帯型プリンタによれば、この携帯型プリンタに指示を与える操作部材が未使用時には可動部材に覆われることにより保護される。
【００１４】
この携帯型プリンタのような可搬型の機器にあっては、この携帯型プリンタを手に持ったまま持ち運んでいる最中に落としてしまったり、誤って放り投げてしまうようなことが起こり得る使用環境であることが想定される。この携帯型プリンタにあっては、その想定を踏まえて上記のように可動部材により操作部材を覆って操作部材を保護することで操作部材の破損を未然に防止するようにしている。
【００１５】
また、上記可動部材は、上記使用位置にあるときに、上記本体を、上記送出口が形成された側面を斜め上に持ち上げた状態に支持するものであることが好ましい。
【００１６】
このようにこの携帯型プリンタが、使用状態にあるときにこの携帯型プリンタの送出口が可動部材により持ち上げられて支持されるものであると、記録媒体が取り出しやすくなるばかりでなく、例えば送出口付近に画像データを受信する受信部が設けられている場合には、その受信部がユーザ側に向くようになるのでカメラ付き携帯電話機などの送信機を持つユーザ側からの画像データの送信が行ない易くなるという利点が引き出される。
【００１７】
また、上記可動部材は、上記本体に回動自在に軸支され、上記未使用位置と上記使用位置との間を回動により移動するものであることが好ましい。
【００１８】
そうすると、回動するという操作により可動部材を使用位置、あるいは未使用位置に移動させることにより、このプリンタを使用状態にも未使用状態にもすることができる。
【００１９】
また、上記可動部材の、上記未使用位置への移動および前記使用位置への移動によりそれぞれオフ状態およびオン状態に切り替わる電源スイッチを備えたことが好ましい。
【００２０】
そうすると、電源スイッチをわざわざ操作せずとも、上記可動部材を操作することによって電源を投入することも遮断することもできるようになる。
【００２１】
また、上記可動部材が上記未使用位置にあるときにその可動部材により覆われる位置に、画像データを担持する赤外線を受光する受光部を備え、
上記可動部材は、その可動部材の少なくとも上記受光部を覆う部分が赤外線を透過する材料からなるものであることが好ましい。
【００２２】
上記可動部材の少なくともその受光部を覆う部分が赤外線を透過する材料からなるものであると、未使用位置にあっても、携帯電話機側から画像データを携帯型プリンタへ送信してその携帯型プリンタ内部のメモリにその画像データを書き込むことができる。
【００２３】
上記可動部材は、上記送出口が形成された側面を覆うとともにその側面両端に接する２つの側面にまで延在するコの字型の部材であって、その可動部材は、上記未使用位置から、その可動部材を上記送出口が形成された側面から離れる方向にスライドさせてから回動させることにより上記使用位置に移動するものであっても、上記送出口が形成された側面を含む４つの側面全てを取り巻く輪形状を有するとともに上記本体に対し回動自在に支持されるものであっても良く、さらに上記可動部材は、上記未使用位置にあるときに内側を向くとともに上記使用位置にあるときに外側を向く面を有する部材であって、その面にこの携帯型プリンタに指示を与える操作部材を備えたものであっても良い。
【発明の効果】
【００２４】
以上、説明したように、使い勝手が良い上、優れた防塵機能を持つプリンタが実現される。
【発明を実施するための最良の形態】
【００２５】
以下、本発明の実施形態について説明する。
【００２６】
図１は、本発明の携帯型プリンタ１の未使用時の外観を、斜め前方から見た斜視図であり、図２は、使用時にこの携帯型プリンタ１が備える可動部材１００Ａが本体に対し回動された後の外観を斜め前方から見た斜視図である。
【００２７】
図１，図２に示す携帯型プリンタ１は、本体１０とその本体１０の側面すべてを取り巻く輪形状の可動部材１００Ａとを備えている。その可動部材１００Ａは、所定の未使用位置（図１に示す位置）と所定の使用位置（図２に示す位置）との間で移動し、図１に示す未使用位置にあるときは送出口１０Ａ（図２参照）を覆い、図２に示す使用位置にあるときは送出口１０Ａを開放するとともに本体１０を支持する。
【００２８】
以降の説明において未使用位置と記載されている場合には可動部材１００Ａが図１に示す位置にあることを指し、使用位置と記載されている場合には可動部材１００Ａが図２に示す位置にあることを指すものとする。
【００２９】
図２に示すように、可動部材１００Ａは、使用位置にあるときに、本体１０を、送出口１０Ａが形成された側面を斜め上に持ち上げた状態に支持するものであって、この可動部材１００Ａは、本体１０に回動自在に軸支され、未使用位置と使用位置との間を回動により移動するものである。
【００３０】
また、本体１０の表面の、可動部材１００Ａが未使用位置にあるときにその可動部材１００Ａにより覆われる位置に、この携帯型プリンタに指示を与える操作部材１０Ｂ〜１０Ｄが配備されている。
【００３１】
ここで、可動部材１００Ａを取り外して、この携帯型プリンタ１の本体１０の構成を簡単に説明しておく。
【００３２】
図３は、図１の携帯型プリンタ１の本体１０を、斜め前方から見た斜視図である。
【００３３】
この携帯型プリンタ１は、図１，図２に示すように薄型で軽量かつ小型の構造を有する可搬型の携帯型プリンタであり、図３に示す本体１０内部には電池装填室（不図示）が設けられており、その電池装填室に電池が装填されその装填された電池の電力の供給を受けてこの携帯型プリンタは動作するものである。またその本体１０内には後述する媒体装填室も設けられており、その媒体装填室にインスタントフイルムパックが装填され、そのインスタントフイルムパック内の、積層された１０枚のインスタントフイルムシート一枚一枚に画像の記録が行なわれる。
【００３４】
本体１０の側面には操作部材として、このプリンタ１の電源の投入および遮断を指示する電源スイッチ（以下、電源ＳＷと記述する）１０Ｄと、送信された画像データに基づく画像の再記録を行なうためのリピートスイッチ（以下、リピートＳＷと記述する）１０Ｂなどが設けられている。また、これらのスイッチを含む操作部材１０Ｂ〜１０Ｄや送出口１０Ａが設けられている側面すべてを取り巻くようにして輪形状の可動部材１００Ａが本体１０に対して回動自在に配設されるように本体１０の側面には取付部１０００Ａが設けられている。その取付部１０００Ａが在る側面とは反対側の側面にも輪形状の可動部材１００Ａを取り付けるための取付部１００１Ａ（図５参照）が設けられており、それらの取付部に可動部材１００Ａの中央にある軸部（図示せず）が係合すると、図１、図２に示す可動部材１００Ａのように、その可動部材１００Ａが本体１０に対して回動自在に取りけられた状態になる。
【００３５】
また、本体１０の筐体１０ａの端部には、赤外線通信用の送受光部１４が備えられていて、その赤外線通信用の送受光部１４の中の受光部により例えば携帯電話機から投光されてくる、画像データが担持された赤外線が受光される。
【００３６】
さらに、このプリンタ１の本体１０の筐体１０ａ表面には、電源が投入されると点灯するとともに赤外線通信時に点滅する電源用ＬＥＤ１５、赤外線通信においてエラーが発生すると点灯する通信エラー用ＬＥＤ１６、内蔵された電池電圧が低下するとユーザに電池交換を促すために点灯するローバッテリ表示用のＬＥＤ１７、およびインスタントフイルムシートの残り枚数を示すカウンタ１３が設けられている。また、本体１０の側面には、この本体１０の下面側に設けられた後述するフイルムドアを開放するためのフイルムドア開放スイッチ（図示せず）も備えられている。
【００３７】
図４は、本体１０の、フィルムドアが設けられた下面を示すため、この本体１０を斜め下方から見た図である。
【００３８】
図４に示すように、本体１０の下面には、フイルムドア２０が設けられており、このフイルムドア２０が開けられ、インスタントフイルムパックが後述する媒体装填室に装填される。また、フイルムドア２０には、インスタントフイルムパックが装填されているか否かを確認するためのパック在否確認窓２０ａが設けられている。さらに、フイルムドア２０に隣接して、このプリンタ１の電源となる電池が装填される電池装填室（不図示）の電池蓋２１も設けられている。
【００３９】
図５は、図４に示すフィルムドア２２を開けた状態の本体を示す図である。
【００４０】
フイルムドア２０の内側には、媒体装填室２２が設けられており、その媒体装填室２２の中に１０枚組みのインスタントフイルムパックが装填される。図示はしないが、媒体装填室２２内にはインスタントフイルムシートを画像書込部および媒体搬送展開部側（図示せず）に送り出すためのクロー（爪）が設けられており、インスタントフイルムパック内のインスタントフイルムシートのうちの、プリンタ１の一番上面側にあるインスタントフイルムシートがそのクローで掻き上げられて媒体搬送展開部で搬送されながら画像書込部で画像が書き込まれて現像される。
【００４１】
このような小型かつ軽量構造を持つ携帯型プリンタ１が携帯電話機と組み合わされて使用される。この携帯型プリンタを使用するときには、携帯電話機を片手に、もう一方の手にこの携帯型プリンタ１を持って写真プリントを行なうことも、この携帯型プリンタをどこかに置いて携帯電話機を構えて写真プリントを行なうこともできる。いずれにおいてもこの携帯型プリンタ１を使用する時に送出口１０Ａを開放する必要があるため、必ず可動部材１００Ａを回動する操作をしてからこの携帯型プリンタ１を使用することとなる。そこで、本実施形態の携帯型プリンタ１では、未使用時にはその可動部材１００Ａにより覆われる位置、ここでは側面に配設されている電源スイッチ１０Ｄを、可動部材１００Ａの、未使用位置への移動および使用位置への移動によりそれぞれオフ状態およびオン状態に切り替えるようにしている。このようにしておくと、この携帯型プリンタ１を手に持ったままプリントを行なうにしても、あるいはどこかの場所に咄嗟に置いてプリントを行なうにしても、わざわざ電源スイッチ１０Ｄを探して操作することなく、可動部材１００Ａを回動するという操作一つでこの携帯型プリンタ１をスタンバイ状態へと移行させることができる。
【００４２】
また、いままでは、一方の手に携帯電話機、もう一方の手に携帯型プリンタを持ってプリントを行なうときには携帯型プリンタと携帯電話機の送受信器の位置をあわせることは容易であるが、携帯型プリンタをどこかの場所に置いたときには携帯電話機をプリンタの送受信機の位置に合わせるように構えなければならないという欠点があったが、本実施形態の携帯型プリンタでは使用位置に移動させた後の可動部材１００Ａに支持部材としての機能を担わせることによりこの欠点を克服している。
【００４３】
図６は、この携帯型プリンタ１が机上に置かれた状態にあるときに可動部材１００Ａに支持部材としての機能を担わせた上、この携帯型プリンタの送出口からインスタントフイルムシート１００１を排出させているときの状態を示す図である。
【００４４】
この携帯型プリンタ１を、写真プリントを目的としてどこかに置く場合には、送出口１０Ａを開放するように可動部材１００Ａを使用位置に移動させその可動部材１００Ａに電源スイッチを投入させてから図６に示すように机の上などに置かれる。
【００４５】
そこで、可動部材１００Ａにより電源スイッチ１０Ｄがオン側に切り替えられた後、送出口１０Ａを覆う役目を担っていた可動部材１００Ａに、今度は支持部材としての役割も担わせている。ここでは、可動部材１００Ａが使用位置にあるときに、本体１０を、送出口１０Ａが形成された側面を斜め上に持ち上げた状態に支持して携帯型プリンタ１の送受光部１４を、携帯電話機を持つユーザ側に向けるようにしている。このようにすることで、ユーザはわざわざ携帯電話機を低く構えることが不要になり、使い勝手の向上が図られる。また、可動部材１００Ａの回動角度を変えると、携帯型プリンタ１の、携帯電話機に対する角度が変わるので、どのような場所に置いたとしても角度調節自在となる携帯型プリンタが実現される。
【００４６】
また、このような携帯型プリンタにおいては、写真プリントを行なわずにとりあえず画像データだけを記録しておいて後で写真プリントを行ないたいという場合もある。この携帯型プリンタにはリピートＳＷ１０Ｂ（図２参照）が配備されているので、そういったことにも対応することができる。そのような場合には、図１に示す未使用位置（図１に示す位置）に可動部材１００Ａがあっても、その可動部材１００Ａにより覆われている送受光部１４内の受光部に画像データを受光させることができるように、その可動部材の少なくとも受光部を覆う部分を、赤外線を透過する材料で構成しておくと上記のような場合にも対応可能となる。
【００４７】
図７は変形例を示す図である。
【００４８】
図７には、未使用位置にあるときに内側を向くとともに使用位置にあるときに外側を向く面を有する可動部材１００Ｂが設けられた例が示されている。このように可動部材１００Ｂの片面にこの携帯型プリンタに指示を与える操作部材１００１Ｂ，１００２Ｂを設けて、使用位置にあるときにそれらの操作部材１００１Ｂ，１００２Ｂの姿を表面に露呈させるとともに、その可動部材１００Ｂが本体１０を送出口１０Ａが形成された側面を斜め上に持ち上げた状態に支持するようなものであっても良い。このようにすると、図１のものに比べて、送出口１０Ａを覆うとともに本体１０を支持する支持部材として用いられる可動部材１００Ｂの構成が簡略化されて可動部材の小型化が図れる。
【００４９】
図８は別の変形例を示す図である。
【００５０】
図８には、可動部材が、送出口が形成された側面を覆うとともにその側面両端に接する２つの側面にまで延在するコの字型の部材１００Ｃで構成された場合の例が示されている。このようにコの字型の部材１００Ｃで構成しても構成が簡略化される。図８の場合には、操作を誤ってうっかり可動部材１００Ｂを操作してしまう恐れがあるので、これを改善するため、図７に示す可動部材１００Ｂに代えて図８に示すコの字型の部材１００Ｃを用いている。
【００５１】
この実施形態においては、コの字型の可動部材１００Ｃを、未使用位置から、その可動部材１００Ｃを送出口が形成された側面から離れる方向にスライドさせてから回動させることにより使用位置に移動させるようにして、誤って可動部材を移動させてしまうような誤操作の軽減を図っている。このようにすると、スライド操作が行なわれない限り、コの字型の可動部材１００Ｃが未使用位置から移動することがないので未使用位置にあるときには可動部材が送出口１０Ａをしっかりと覆って確実な防塵がなされ、使用位置にあるときには可動部材１００Ｃにより本体１０がしっかりと支持される。
【図面の簡単な説明】
【００５２】
【図１】本発明の携帯型プリンタ１の未使用時の外観を、斜め前方から見た斜視図である。
【図２】使用時に、この携帯型プリンタ１が備える可動部材１００Ａが本体に対し回動された後の外観を斜め前方から見た斜視図である。
【図３】本発明の一実施形態である携帯型プリンタの本体を、斜め前方から見た斜視図である。
【図４】図３に示す本体の下面側を下方から見た図である。
【図５】図３に示す本体下面に設けられているフィルムドアを開けて媒体装填室を見た図である。
【図６】この携帯型プリンタが机上に置かれた状態にあるときにこの携帯型プリンタの送出口からインスタントフイルムシートが排出される様子を示す図である。
【図７】変形例を示す図である。
【図８】変形例を示す図である。
【符号の説明】
【００５３】
１  携帯型プリンタ
１０  本体
１０ａ  筐体
１０Ａ  送出口
１０Ｂ  電源スイッチ（電源ＳＷ）
１０Ｃ  操作部材
１０Ｄ  リピートスイッチ（リピートＳＷ）
１３  カウンタ
１４  送受光部
１５  電源用ＬＥＤ
１６  通信エラー用ＬＥＤ
１７  ローバッテリ表示用のＬＥＤ
２０  フイルムドア
２０ａ  パック在否確認窓
２１  電池蓋
２２  媒体装填室
１００Ａ  １００Ｂ  １００Ｃ  可動部材
２  カメラ付き携帯電話
【図１】
2006007652.tif 000003
【図２】
2006007652.tif 000004
【図３】
2006007652.tif 000005
【図４】
2006007652.tif 000006
【図５】
2006007652.tif 000007
【図６】
2006007652.tif 000008
【図７】
2006007652.tif 000009
【図８】
2006007652.tif 000010